(57)【要約】【課題】ユーザの顔を撮像して該ユーザが所望する音圧を推定して登録し、該ユーザが次回使用する際、該音圧が得られるように設定音量レベルを自動で調節するテレビ受像機を提供する。【解決手段】制御部１３は、第２の距離とｓ１４で取得した推定音圧とに基づいて、ユーザの位置における音圧が該推定音圧となるように、設定音量レベルを調節し（ｓ１５）、本処理を終了する。この調節は、スピーカ８に入力される増幅後の音声信号の音量レベルを測定し、測定した音量レベルからユーザの位置における音圧を推定しつつ行なわれる。具体的には、制御部１３は、第２の距離Ｘｃｍと推定音圧４０ｄｂとに基づいて、ユーザ１０２の位置における音圧がデータベース１４aのユーザの顔画像に対応する推定音圧４０ｄｂとなるように、設定音量レベルを調節する。【選択図】図２
2007228385.tif 000002
【特許請求の範囲】
【請求項１】
入力ソースから入力されてきた音声信号を増幅して出力する音声信号出力手段と、
前記音声信号出力手段から出力された音声信号を音波として出力するスピーカと、を備えたテレビ受像機において、
ユーザ登録を行うユーザ登録キーと所定のタイミングを設定する設定キーとを有する操作手段と、
前記ユーザ登録キーがキー操作された際、装置本体からユーザまでの第１の距離の測定と、該ユーザの顔の撮像と、を行う距離測定撮像手段と、
前記ユーザ登録キーがキー操作された際、前記スピーカに入力される増幅後の前記音声信号の音量レベルを測定し、前記距離測定撮像手段が測定した前記第１の距離に基づいて前記ユーザの位置における音圧を推定音圧として推定する音圧推定手段と、
前記距離測定撮像手段によって撮像された前記ユーザの顔画像と前記音圧推定手段によって推定された前記推定音圧とを対応付けてユーザ登録するユーザ登録テーブルと、を備え、
前記距離測定撮像手段は、前記ユーザ登録完了後において、前記設定キーで設定されたタイミングで、装置本体からユーザまでの第２の距離の測定と、該ユーザの顔の撮像と、を行ない、
前記音圧推定手段は、
前記ユーザ登録完了後において前記距離測定撮像手段によって撮像されたユーザの顔画像が前記ユーザ登録テーブルに登録されているか否かを判断し、登録されていると判断すると、前記距離測定撮像手段が測定した前記第２の距離と該ユーザ登録テーブルの該ユーザの顔画像に対応する前記推定音圧とに基づいて、該ユーザの位置における音圧が該推定音圧となるように、前記音声信号出力手段の前記増幅量を調節し、
さらに、前記距離測定撮像手段が前記ユーザ登録完了後において撮像しているユーザの顔画像に変更がない場合、該ユーザの位置における音圧が、前記ユーザ登録テーブルの該ユーザの顔画像に対応する前記推定音圧と同じ値又は近似の値になっているか否かを判断し、該同じ値又は該近似の値になっていないと判断すると、該ユーザの位置における音圧が該推定音圧となるように、前記音声信号出力手段の前記増幅量を再び調節するテレビ受像機。
【請求項２】
入力ソースから入力されてきた音声信号を増幅して出力する音声信号出力手段と、
前記音声信号出力手段から出力された音声信号を音波として出力するスピーカと、を備えたテレビ受像機において、
ユーザ登録を行うユーザ登録キーを有する操作手段と、
前記ユーザ登録キーがキー操作された際、装置本体からユーザまでの第１の距離の測定と、該ユーザの顔の撮像と、を行う距離測定撮像手段と、
前記ユーザ登録キーがキー操作された際、前記スピーカに入力される増幅後の前記音声信号の音量レベルを測定し、前記距離測定撮像手段が測定した前記第１の距離に基づいて前記ユーザの位置における音圧を推定音圧として推定する音圧推定手段と、
前記距離測定撮像手段によって撮像された前記ユーザの顔画像と前記音圧推定手段によって推定された前記推定音圧とを対応付けてユーザ登録するユーザ登録テーブルと、を備え、
前記距離測定撮像手段は、前記ユーザ登録完了後において、装置本体からユーザまでの第２の距離の測定と、該ユーザの顔の撮像と、を行ない、
前記音圧推定手段は、前記ユーザ登録完了後において前記距離測定撮像手段によって撮像されたユーザの顔画像が前記ユーザ登録テーブルに登録されているか否かを判断し、登録されていると判断すると、前記距離測定撮像手段が測定した前記第２の距離と該ユーザ登録テーブルの該ユーザの顔画像に対応する前記推定音圧とに基づいて、該ユーザの位置における音圧が該推定音圧となるように、前記音声信号出力手段の前記増幅量を調節するテレビ受像機。
【請求項３】
前記音圧推定手段は、
前記距離測定撮像手段が前記ユーザ登録完了後において撮像しているユーザの顔画像に変更がない場合、該ユーザの位置における音圧が、前記ユーザ登録テーブルの該ユーザの顔画像に対応する前記推定音圧と同じ値又は近似の値になっているか否かを判断し、該同じ値又は該近似の値になっていないと判断すると、該ユーザの位置における音圧が該推定音圧となるように、前記音声信号出力手段の前記増幅量を再び調節する請求項２に記載のテレビ受像機。
【請求項４】
前記操作手段は、所定のタイミングを設定する設定キーを有し、
前記距離測定撮像手段は、前記設定キーで設定されたタイミングで、前記第２の距離の測定と、前記ユーザの顔の撮像と、を行なう請求項２又は３に記載のテレビ受像機。
【発明の詳細な説明】
【技術分野】
【０００１】
本発明は、入力ソースから入力されてきた音声信号を増幅してスピーカから出力するテレビ受像機に関し、特に音量レベルの調節を自動で行うテレビ受像機に関するものである。
【背景技術】
【０００２】
従来、テレビ受像機は複数の入力ソースを備えており、例えばＢＳ放送の受信回路、接続されたビデオプレーヤ、ＤＶＤプレーヤがある。これらの入力ソースから送出された音声信号は、オーディオアンプにおいてユーザが操作手段で設定した設定音量レベルに応じた増幅がなされた後、音声（音波）としてスピーカから出力される。  操作手段は、例えばリモコン、又はテレビ受像機本体内蔵の操作キーである。
【０００３】
スピーカから出力された音波は、距離に比例して減衰する。そのため、得られる音圧は、距離に比例して減少していく。これに対し、設定音量レベルは、テレビ側で設定される値であり、減少することはない。音圧は、設定音量レベルと異なる概念である。
なお、音圧の単位は、ｄｂ（デシベル）である。
【０００４】
従来のテレビ受像機において、ユーザは、該テレビを視聴する地点で所望の音圧が得られるように、該テレビの設定音量レベルを操作手段で調節していた。
【０００５】
一方、特許文献１に記載されたようなパーソナルコンピュータが提案されている。このパーソナルコンピュータは、距離測定センサを有する操作手段と、距離と音量との関係を表す距離音量テーブルを記憶するホストマシンと、音声信号を音声（音波）として出力するスピーカと、を備える。操作手段は、リモコンやキーボードである。上記ホストマシンは、距離測定センサによって操作手段とホストマシンとの間の距離を測定し、距離音量テーブルを参照して測定した距離から音量を取得し、この音量を設定音量レベルとする。この音量は、距離に応じた適切な音量である。
なお、上記ホストマシンは、赤外線を距離測定センサに出射させ、ホストマシンにより反射された赤外線を距離測定センサが受光するまでの時間を測定することにより、操作手段とホストマシンとの間の上記距離を取得する。
【特許文献１】特開２００５−３０９９３１公報
【発明の開示】
【発明が解決しようとする課題】
【０００６】
しかしながら、逆を言えば、ユーザは設定音量レベルを操作手段で調節しなければ所望の音圧が得られなかった。特に、リモコンはその所在が分からなくなることが多いため、ユーザは、調節するためにまず該リモコンを探さなければならなかった。また、該リモコンが見つからない場合、ユーザは、テレビ受像機本体内蔵の操作キーを操作して調節しなければならなかった。このように、従来のテレビ受像機には、大変な煩わしさをユーザに与えていたという問題があった。
また、特許文献１では、距離に応じて設定音量レベルを自動で調節しているが、その設定音量レベルがユーザの所望の音圧になっているとは限らない。あるユーザは大きな音圧を好み、別のユーザは小さな音圧を好むといったように、所望の音圧は各ユーザによって異なる。そのため、特許文献１では、結局手動で設定音量レベルを調節することとなり、上記従来のテレビ受像機と同様の問題が生じる。
【０００７】
本発明はこのような従来の課題を解決しようとするものであり、ユーザの顔を撮像して該ユーザが所望する音圧を推定して登録し、該ユーザが次回使用する際、該音圧が得られるように設定音量レベルを自動で調節するテレビ受像機を提供することを目的とする。
【課題を解決するための手段】
【０００８】
本発明のテレビ受像機は、前記課題を解決するために以下の構成を備えている。
【０００９】
（１）入力ソースから入力されてきた音声信号を増幅して出力する音声信号出力手段と、
前記音声信号出力手段から出力された音声信号を音波として出力するスピーカと、を備えたテレビ受像機において、
ユーザ登録を行うユーザ登録キーを有する操作手段と、
前記ユーザ登録キーがキー操作された際、装置本体からユーザまでの第１の距離の測定と、該ユーザの顔の撮像と、を行う距離測定撮像手段と、
前記ユーザ登録キーがキー操作された際、前記スピーカに入力される増幅後の前記音声信号の音量レベルを測定し、前記距離測定撮像手段が測定した前記第１の距離に基づいて前記ユーザの位置における音圧を推定音圧として推定する音圧推定手段と、
前記距離測定撮像手段によって撮像された前記ユーザの顔画像と前記音圧推定手段によって推定された前記推定音圧とを対応付けてユーザ登録するユーザ登録テーブルと、を備え、
前記距離測定撮像手段は、前記ユーザ登録完了後において、装置本体からユーザまでの第２の距離の測定と、該ユーザの顔の撮像と、を行ない、
前記音圧推定手段は、前記ユーザ登録完了後において前記距離測定撮像手段によって撮像されたユーザの顔画像が前記ユーザ登録テーブルに登録されているか否かを判断し、登録されていると判断すると、前記距離測定撮像手段が測定した前記第２の距離と該ユーザ登録テーブルの該ユーザの顔画像に対応する前記推定音圧とに基づいて、該ユーザの位置における音圧が該推定音圧となるように、前記音声信号出力手段の前記増幅量を調節する。
【００１０】
この構成において、入力ソースは、例えばＢＳ放送の受信回路、接続されたビデオプレーヤ、ＤＶＤプレーヤである。入力ソースから送出された音声信号は、音声信号出力手段においてユーザが操作手段で設定した設定音量レベルに応じた増幅がなされた後、音声（音波）としてスピーカから出力される。また、操作手段は、例えばリモコン、又はテレビ受像機本体内蔵の操作キーである。また、音量レベル及び音圧の単位は、ｄｂ（デシベル）である。音量レベル及び音圧の違いは、音声が空気中を伝播しているか否かである。
この構成では、ユーザが所望の音圧をテレビ受像機にユーザ登録する場面（第１の場面）と、ユーザが所望の音圧をテレビ受像機にユーザ登録した後の場面（第２の場面）とを想定している。そして、第１の距離は、第１の場面で測定された距離であり、第２の距離は、第２の場面で測定された距離である。第１の場面において、テレビ受像機は、ユーザの顔を撮像して該ユーザが所望する音圧を推定し、推定音圧として予め登録する。そして、テレビ受像機は、該ユーザが次回使用する第２の場面において、該推定音圧が得られるように設定音量レベルを自動で調節する。
以上より、所望の音圧登録後の次回、操作手段を用いなくとも、ユーザが所望の音圧を得ることができるという効果を奏する。
なお、音声信号の音量レベルを測定する前に、音圧推定手段は、音声を所望の設定音量レベルで聞くことを要求する表示をＯＳＤ表示しても良い。音声を所望の設定音量レベルで聞くことを要求する表示は、例えば「今から所望の音圧を登録します。音声を所望の設定音量レベルで聞いて下さい。」である。この表示を見たユーザは、自分が好む設定音量レベルで音声を聞く。これにより、音圧推定手段は、ユーザが好む音圧をより的確に推定することができるという効果を奏する。
【００１１】
（２）前記音圧推定手段は、
前記距離測定撮像手段が前記ユーザ登録完了後において撮像しているユーザの顔画像に変更がない場合、該ユーザの位置における音圧が、前記ユーザ登録テーブルの該ユーザの顔画像に対応する前記推定音圧と同じ値又は近似の値になっているか否かを判断し、該同じ値又は該近似の値になっていないと判断すると、該ユーザの位置における音圧が該推定音圧となるように、前記音声信号出力手段の前記増幅量を再び調節する。
【００１２】
この構成において、近似の値は、一般ユーザが音圧に変化が生じたことを認識することができるか否かの観点から定めると良い。この近似の値は、例えば絶対値５ｄｂ以内の値である。
この構成では、特に、ユーザは同じであるが、テレビ番組の切替やコマーシャルで音圧が大幅に変化した場面と、同一ユーザが視聴する位置を変えてテレビ番組等を視聴した場面と、を想定している。この大幅とは、一般ユーザが音圧に変化が生じたことを認識することができる大きさである。この場面において、ユーザは、従来、その都度操作手段で設定音量レベルを調節しなければならなかった。そこで、音圧推定手段は、ユーザの位置における音圧が推定音圧と同じ値又は近似の値になっていないと判断すると、該推定音圧となるように、音声信号出力手段の増幅量を再び調節する。つまり、テレビ受像機は、推定音圧が得られるように設定音量レベルを自動で調節する。
これにより、テレビ番組の切替やコマーシャルで音圧が大幅に変化した場合でも、ユーザがその都度設定音量レベルを操作手段で調節することなく、自動で設定音量レベルの調節が行なわれるという効果を奏する。また、ユーザが視聴する位置を変えてテレビ番組等を視聴した場合でも、ユーザがその都度設定音量レベルを操作手段で調節することなく、自動で設定音量レベルの調節が行なわれるという効果を奏する。
【００１３】
（３）前記操作手段は、所定のタイミングを設定する設定キーを有し、
前記距離測定撮像手段は、前記設定キーで設定されたタイミングで、前記第２の距離の測定と、前記ユーザの顔の撮像と、を行なう。
【００１４】
この構成において、所定のタイミングは、例えば電源オン時、所定時刻、所定時間間隔である。所定時刻は、例えば１３時である。所定時間は、例えば３０秒、１分、３分、５分、１０分、又は１時間である。
この構成では、音圧推定手段が上記増幅量を調節するタイミング及び頻度をユーザに決めさせている。
これにより、ユーザの希望するタイミング及び頻度で上記増幅量の調節が行なわれるという効果を奏する。
【発明の効果】
【００１５】
この発明によれば、所望の音圧登録後の次回、操作手段を用いなくとも、ユーザが所望の音圧を得ることができるという効果を奏する。
【発明を実施するための最良の形態】
【００１６】
以下、本発明の実施形態であるテレビ受像機について説明する。
【００１７】
図１は、本発明の実施形態であるテレビジョンの主要な構成を示すブロック図である。
【００１８】
ＴＶ（テレビジョン）１は、ＴＶ１全体の制御を行う制御部１３と、テレビ放送信号を処理するチューナ２と、テレビ放送信号から映像信号と音声信号とを分離抽出する映像／音声切換部３と、所望のＯＳＤを映像信号に重畳するＯＳＤ処理部４と、映像信号を表示部６に出力する映像信号出力部５と、映像を表示するＣＲＴ等の表示部６と、音声信号を増幅しスピーカ８に出力する音声信号出力部７と、音声（音波）を外部に発生するスピーカ８と、ユーザが設定音量レベルの調節等を行う操作部９と、設定音量レベルを記憶する記憶部１４と、を備えている。
【００１９】
操作部９及びリモコン１１は、ユーザ登録を行なうユーザ登録キーを有する。操作部９にはリモコン信号検出部（不図示）が備えられている。リモコン信号検出部に対し、外部からリモコン１１を用いて、電源のON／OFF、チャンネルの切り替え、設定音量レベルの調節等の命令が入力されると、リモコン信号検出部は、リモコン１１からの命令信号を受信して制御部１３に伝送する。
【００２０】
記憶部１４は、不揮発性のメモリからなり、記憶内容を更新可能である。記憶部１４は、例えば半導体メモリ、ハードディスクから構成される。半導体メモリは、例えばＥＥＰＲＯＭである。記憶部１４は、設定音量レベルを記憶する。設定音量レベルは、ユーザが操作部９又はリモコン１１によって調節（設定）する音量のレベルである。また、記憶部１４は、データベース１４aを有する。
【００２１】
チューナ２は、アンテナ１２で受信しているテレビ放送信号から選択されているチャンネルのテレビ放送信号を抽出し、出力する。選択されているチャンネルは、制御部１３によって指定される。
【００２２】
映像／音声切換部３は、チューナ２から出力されたテレビ放送信号を、映像信号と音声信号とに分離抽出する。
【００２３】
映像／音声切換部３から出力された映像信号は、ＯＳＤ処理部４を介して、映像信号出力部５に入力される。
【００２４】
ＯＳＤ処理部４は、ＯＳＤ画像メモリ（不図示）を内蔵する。ＯＳＤ処理部４は、制御部１３から与えられる制御信号に基づいて、映像信号に文字または図形を重畳する。ＯＳＤ画像メモリは、これらの文字または図形を記憶する。
【００２５】
映像信号出力部５は、映像／音声切換部３が出力した映像信号を出力し、表示部６は映像を表示する。表示部６は、例えばモニタである。
【００２６】
音声信号出力部７は、オーディオアンプ（不図示）を内蔵しており、映像／音声切換部３が出力した音声信号の増幅を行ってスピーカ８に出力する。この増幅量は、制御部１３によって定められ、記憶部１４が記憶する設定音量レベルに応じたものである。そして、スピーカ８は音声（音波）を外部に発生する。
【００２７】
以上により、ユーザは、表示部６およびスピーカ８において、テレビ番組やコマーシャルを視聴する。テレビ番組には、音楽番組などがある。
【００２８】
なお、ＴＶ１の各部には、図示していない電源回路から動作電源が供給されている。この電源回路の入力は、商用電源（例えばAC１００V）である。
【００２９】
制御部１３は、例えばマイクロコンピュータで構成される。また、制御部１３は、制御プログラムを格納するＲＯＭ１３aと、該制御プログラム等を展開するワークフィールドとしてのＲＡＭ１３bと、時刻の経時または時間の測定を行なうタイマー回路１３ｃと、を有する。また、制御部１３は、インタフェース２０を介して、カメラ１０１と接続されている。カメラ１０１は、制御部１３により制御される。
【００３０】
図２は、本発明の実施形態であるテレビジョンにおいてユーザが距離Ｘｃｍの位置でテレビ番組を視聴する様子を示した概念図である。図３は、同テレビジョンにおいてユーザが距離２Ｘｃｍの位置でテレビ番組を視聴する様子を示した概念図である。
カメラ１０１は、例えばＣＣＤカメラである。カメラ１０１は、ユーザ１０２を撮像し、ユーザ１０２の画像データをＴＶ１に伝送する（図１参照）。カメラ１０１は、該画像データを素のままＴＶ１に伝送するが、ＴＶ１及びカメラ１０１の間の転送速度を考慮して該画像データを圧縮して伝送してもよい。
なお、図中の４０ｄｂは、ユーザ１０２が距離Ｘｃｍ又は２Ｘｃｍの位置で得られる音圧である。
【００３１】
図１に戻り、制御部１３は、インタフェース２０を介して、ユーザ１０２の画像データを受信する。
【００３２】
ここで、制御部１３が、本発明の「音圧推定手段」に相当する。カメラ１０１、及び制御部１３が、本発明の「距離測定撮像手段」に相当する。データベース１４aが、本発明の「ユーザ登録テーブル」に相当する。アンテナ１２が、本発明の「入力ソース」に相当する。
【００３３】
図４は、本発明の実施形態であるテレビジョンにおいてユーザ登録キー押下時に制御部が行う動作を示すフローチャートである。図４では、ユーザ１０２が所望の音圧をＴＶ１にユーザ登録する場面を想定している。図４で示されているユーザ登録キー押下ルーチンは、上記制御プログラムに関連する（プレインストールされている）ルーチンであり、ユーザ登録キー押下により、制御プログラムからコールされる。
【００３４】
まず、制御部１３は、ユーザ１０２の顔を認識する（ｓ１）。詳述すると、制御部１３は、ユーザ１０２をカメラ１０１に撮像させる。制御部１３は、カメラ１０１から入力された画像データから、人物の顔領域を抽出する。顔領域抽出には例えば、カメラ１０１から入力された画像データの各画素について色相値と彩度値を求め、画像全体での色相値と彩度値の２次元ヒストグラムを作成する。そして、２次元ヒストグラムを山毎にクラスタリングする。分割された山を群毎に合わせることにより、人物の顔の候補となる領域を抽出する。更に顔候補領域として抽出された領域の面積を判断して微少領域を除去してナンバリングし直し、顔候補領域を正確に抽出する。
このようにして、制御部１３は、カメラ１０１から入力された画像データから人物の顔領域を抽出し、ユーザ１０２の顔画像を取得する。
【００３５】
次に、制御部１３は、カメラ１０１とユーザ１０２との間の距離（第１の距離）を測定する（ｓ２）。ｓ２の測定方法の一例を説明する。
制御部１３は、予め定められた変換テーブルに基づいて、取得した顔画像の面積から距離を算出する。顔画像の面積とは、顔の最大縦の幅×最大横の幅とする。この距離とは、カメラ１０１とユーザ１０２との間の距離である。そのため、カメラ１０１は、図２及び図３のように、ＴＶ１の真上に配置されるのが好ましい。また、変換テーブルには、顔画像の面積と距離との対応関係が記述されている。変換テーブルは、例えばＲＯＭ１３aに記憶させておくとよい。
【００３６】
なお、この実施形態では、顔画像の面積から距離を算出することにより距離の測定を行なっているが、他の方法により距離の測定を行なっても構わない。他の方法は、カメラ１０１の代わりに距離測定センサを用いて、電磁波や超音波により測定する方法である。電磁波は、光や電波を含む概念である。例えば、制御部１３は、赤外線又は超音波を距離測定センサに出射させ、ユーザ１０２により反射された赤外線又は超音波を距離測定センサが受信するまでの時間を測定することにより、距離の測定を行なう。
【００３７】
次に、制御部１３は、スピーカ８に入力される増幅後の音声信号の音量レベルを測定する（ｓ３、図１）。具体的には、音声信号の振幅レベル等を測定する。音量レベルは、所定の音量に対する増幅（減衰）量（デシベル量）で定義している。この音量レベルは、ＴＶ１に設定する設定音量レベルと異なり、実測値である。そのため、音量レベルは、コマーシャルやテレビ番組などのコンテンツによって変動する。ｓ３では、変動する音量レベルの所定時間における平均値を測定する。所定時間は、例えば３秒である。変動する音量レベルのサンプリング数は、例えば１秒間に１０個であり、所定時間が３秒であれば３０個得られることになる。変動する音量レベルのサンプリング数は、制御部１３のスペック（能力）の観点から決めれば良い。
【００３８】
なお、この実施形態では、ｓ３において変動する音量レベルの所定時間における平均値を測定しているが、変動する音量レベルの一定時間毎の最大値を所定時間分取得し、取得された最大値の平均値を測定しても構わない。一定時間は、例えば１秒である。所定時間は、例えば３秒である。つまり、一定時間が１秒で所定時間が３秒であれば、３個のサンプルから平均値を測定することになる。
また、ｓ３の音声信号の音量レベルを測定する前に、制御部１３は、音声を所望の設定音量レベルで聞くことを要求する表示をＯＳＤ処理部４にＯＳＤ表示させても良い。音声を所望の設定音量レベルで聞くことを要求する表示は、例えば「今から所望の音圧を登録します。音声を所望の設定音量レベルで聞いて下さい。」である。この表示を見たユーザ１０２は、自分が好む設定音量レベルで音声を聞く。これにより、制御部１３は、ユーザ１０２が好む音圧をより的確に推定することができるという効果を奏する。
【００３９】
そして、制御部１３は、音声信号の音量レベルと上記測定した距離（第１の距離）とに基づいてユーザ１０２の位置における音圧を推定音圧として推定する（ｓ４）。音圧の単位は、ｄｂ（デシベル）である。スピーカ８から出力された音波は、距離に比例して減衰する。そのため、ユーザ１０２が得られる音圧は、距離に比例して減少していく。ｓ４の推定は、この減衰を考慮にいれ、例えばカメラ１０１とユーザ１０２との間に障害物なし、及びＴＶ１が使用される地域の平均温度且つ平均湿度という設定の下、行なわれる。
なお、設定音量レベルは、テレビ１側で設定される値であり、減少することはない。音圧は、設定音量レベルと異なる概念である。
【００４０】
そして、制御部１３は、ｓ４において推定した推定音圧と撮像したユーザ１０２の顔画像とをデータベース１４aに記録する（ｓ５）。併せて、操作部９又はリモコン１１でユーザ名をユーザに入力させ、ユーザ名と音圧と顔画像とを対応付けて記録すると良い。
【００４１】
図５は、データベース１４aに記憶されている内容を示す図である。データベース１４aは、ユーザ名とユーザ１０２の顔画像と上記推定した音圧とを、図５に示すように対応付けてユーザ登録（記憶）する。
以上のようにして、ユーザ１０２は、所望の音圧をＴＶ１にユーザ登録できる。
【００４２】
図６は、本発明の実施形態であるテレビジョンにおいて制御部が行う動作を示すフローチャートである。図６では、図５においてユーザ１０２が所望の音圧をＴＶ１にユーザ登録した後の場面を主に想定している。
【００４３】
図６で示されている音量最適化ルーチンは、上記制御プログラムに関連する（プレインストールされている）ルーチンである。音量最適化ルーチンは、所定のタイミングがトリガとなり、制御プログラムからコールされる。所定のタイミングは、例えば電源オン時、所定時刻、所定時間間隔である。所定時刻は、例えば１３時である。所定時間は、例えば３０秒、１分、３分、５分、１０分、又は１時間である。所定時刻の到達および所定時間の経過は、タイマー回路１３ｃを参照する。
【００４４】
なお、操作部９に所定のタイミングを設定する設定キーを設け、ユーザに該タイミング及び頻度を決めさせても良い。制御部１３は設定キーで設定されたタイミング及び頻度で図６の動作を開始する。
これにより、ユーザの希望するタイミング及び頻度で増幅量の調節が行なわれるという効果を奏する。
また、制御部１３が音声信号の音量レベルをリアルタイムに測定し、音声信号の音量レベルに大幅な変化が生じた時、図６の動作を開始しても良い。
【００４５】
まず、制御部１３は、ユーザ１０２の顔を認識する（ｓ１１）。認識方法は、ｓ１と同じである。
【００４６】
次に、制御部１３は、カメラ１０１とユーザ１０２との間の距離（第２の距離）を測定する（ｓ１２）。測定方法は、ｓ２と同じである。
【００４７】
制御部１３は、ｓ１１において撮像されたユーザ１０２の顔がデータベース１４aに登録されているか否かを判断する（ｓ１３、図５参照）。この判断は、ｓ１１において撮像されたユーザ１０２の顔画像の特徴点とデータベース１４aに登録されている顔画像の特徴点とを比較することにより行なわれる。
【００４８】
ｓ１１において撮像されたユーザ１０２の顔がデータベース１４aに登録されていないと判断すると、制御部１３は、本処理を終了する。
【００４９】
一方、ｓ１１において撮像されたユーザ１０２の顔がデータベース１４aに登録されていると判断すると、制御部１３は、データベース１４aのユーザの顔画像に対応する推定音圧を取得する（ｓ１４）。具体的には、ユーザがタロウであれば４０ｄｂを取得し、ジロウであれば６０ｄｂを取得する（図５参照）。
【００５０】
制御部１３は、第２の距離とｓ１４で取得した推定音圧とに基づいて、ユーザの位置における音圧が該推定音圧となるように、設定音量レベルを調節し（ｓ１５）、本処理を終了する。この調節は、スピーカ８に入力される増幅後の音声信号の音量レベルを測定し、測定した音量レベルからユーザの位置における音圧を推定しつつ行なわれる。
【００５１】
図２及び３を用いて、第１の状況と第２の状況にわけて、ｓ１５を以下詳述する。
まず、第１の状況を説明する。
図２に示すように、推定音圧が４０ｄｂであり、ユーザ１０２が距離Ｘｃｍの位置でテレビ番組を視聴しているとする。この場合、ｓ１５において制御部１３は、第２の距離Ｘｃｍと推定音圧４０ｄｂとに基づいて、ユーザ１０２の位置における音圧がデータベース１４aのユーザの顔画像に対応する推定音圧４０ｄｂとなるように、設定音量レベルを調節する。
【００５２】
次に、第２の状況を説明する。
図３に示すように、推定音圧が４０ｄｂであり、ユーザ１０２が距離２Ｘｃｍの位置でテレビ番組を視聴しているとする。この場合、ｓ１５において制御部１３は、第２の距離２Ｘｃｍと推定音圧４０ｄｂとに基づいて、ユーザ１０２の位置における音圧がデータベース１４aのユーザの顔画像に対応する推定音圧４０ｄｂとなるように、設定音量レベルを調節する。
【００５３】
当然、第１の状況と第２の状況との設定音量レベルは、距離が長い分、第２の状況の設定音量レベルが第１の状況より高くなる。
【００５４】
このように、ユーザ１０２の顔を撮像してユーザ１０２が所望する音圧を予め登録するので、ＴＶ１は、ユーザ１０２が次回使用する際、該音圧が得られるように設定音量レベルを自動で調節する。
以上より、所望の音圧登録後の次回、操作部９又はリモコン１１を用いなくとも、ユーザ１０２が所望の音圧を得ることができるという効果を奏する。
【００５５】
以下、本発明の他の実施形態であるテレビ受像機について説明する。
【００５６】
この実施形態のテレビジョンと上記図１のテレビジョンは、構成において同一である。
【００５７】
図７は、本発明の他の実施形態であるテレビジョンにおいて制御部が行う動作を示すフローチャートである。この動作は、図６におけるｓ１５の後にｓ２０を追加し、ｓ１２及びｓ１３の間にｓ２１を追加し、ｓ２１の後にｓ２２〜ｓ２４を追加した動作である。その他の処理（ｓ１１〜１５）については同じである。図７では、同一ユーザが視聴中においてテレビ番組の切替やコマーシャルによって音圧が大幅に変化した場面と、同一ユーザが視聴する位置を変えてテレビ番組等を視聴した場面と、を想定している。
【００５８】
設定音量レベルを調節した（ｓ１５）後、制御部１３は、その設定音量レベルを調節したユーザをデフォルト（基準）に設定し（ｓ２０）、本処理を終了する。この設定は、後述のｓ２１の判断の際、用いられる。詳述すると、例えば設定音量レベルを調節したユーザの顔画像の特徴点をＲＡＭ１３ｂに記録する。または、データベース１４aにおいて、設定音量レベルを調節したユーザにフラグを立てても良い。
【００５９】
そして次回、第２の距離を測定した（ｓ１２）後、制御部１３は、撮像しているユーザの顔画像に変更が生じたか否かを判断する（ｓ２１）。つまり、図７では、ｓ１５→ｓ２０→ｓ１１→ｓ１２→ｓ２１、ｓ２３→ｓ２４→ｓ１１→ｓ１２→ｓ２１、又はｓ２３→ｓ１１→ｓ１２→ｓ２１のように、フローが繰り返されることを想定している。
【００６０】
なお、ｓ２１の判断は、ｓ２０でＲＡＭ１３ｂを用いたのであれば、ＲＡＭ１３ｂに記録したユーザの顔画像の特徴点とｓ１１において撮像されたユーザの顔画像の特徴点とを比較することにより行なわれる。
また、ｓ２１の判断は、ｓ２０でフラグを用いたのであれば、データベース１４aにおいてフラグが立っているユーザの顔画像の特徴点とｓ１１において撮像されたユーザ１０２の顔画像の特徴点とを比較することにより行なわれる。
【００６１】
ｓ２１において、ユーザの顔画像に変更が生じていると判断すると、制御部１３は、ｓ１３に進み処理を継続する。
【００６２】
ｓ２１において、ユーザの顔画像に変更が生じていないと判断すると、制御部１３は、データベース１４aの該ユーザの顔画像に対応する推定音圧を取得する（ｓ２２）。
【００６３】
そして、制御部１３は、ユーザの位置における現在の音圧がｓ２２で取得した推定音圧と同じ値又は近似の値になっているか否かを判断する（ｓ２３）。ｓ２３の判断は、スピーカ８に入力される増幅後の音声信号の音量レベルを測定し、測定した音量レベルからユーザの位置における現在の音圧を推定し、推定したユーザの位置における現在の音圧とｓ２２で取得した推定音圧とを比較することにより行なわれる。近似の値は、一般ユーザが音圧に変化が生じたことを認識することができるか否かの観点から定めると良い。この近似の値は、例えば絶対値５ｄｂ以内の値である。
【００６４】
ユーザの位置における現在の音圧がｓ２２で取得した推定音圧となっていると判断すると、つまりユーザが音圧に変化が生じたと認識してしまう程音圧に変化が生じていない場合、制御部１３は、本処理を終了する。
【００６５】
ユーザの位置における現在の音圧がｓ２２で取得した推定音圧となっていないと判断すると、つまりユーザが音圧に変化が生じたと認識してしまう程音圧に変化が生じた場合、制御部１３は、第２の距離とｓ２２で取得した推定音圧とに基づいて、ユーザの位置における音圧が該推定音圧となるように、設定音量レベルを調節し（ｓ２４）、本処理を終了する。ｓ２４は、ｓ１５と同じ処理である。
【００６６】
これにより、テレビ番組の切替やコマーシャルで音圧が大幅に変化した場合でも、ユーザ１０２がその都度設定音量レベルを操作部９又はリモコン１１で調節することなく、自動で設定音量レベルの調節が行なわれるという効果を奏する。また、ユーザ１０２が視聴する位置を変えてテレビ番組等を視聴した場合でも、ユーザ１０２がその都度設定音量レベルを操作部９又はリモコン１１で調節することなく、自動で設定音量レベルの調節が行なわれるという効果を奏する。
【図面の簡単な説明】
【００６７】
【図１】本発明の実施形態であるテレビジョンの主要な構成を示すブロック図
【図２】本発明の実施形態であるテレビジョンにおいてユーザが距離Ｘｃｍの位置でテレビ番組を視聴する様子を示した概念図
【図３】本発明の実施形態であるテレビジョンにおいてユーザが距離２Ｘｃｍの位置でテレビ番組を視聴する様子を示した概念図
【図４】本発明の実施形態であるテレビジョンにおいてユーザ登録押下時に制御部が行う動作を示すフローチャート
【図５】データベース１４aに記憶されている内容を示す図
【図６】本発明の実施形態であるテレビジョンにおいて制御部が行う動作を示すフローチャート
【図７】本発明の他の実施形態であるテレビジョンにおいて制御部が行う動作を示すフローチャート
【符号の説明】
【００６８】
１−ＴＶ
２−チューナ
３−映像／音声切換部
４−ＯＳＤ処理部４
５−映像信号出力部
６−表示部
７−音声信号出力部
８−スピーカ
９−操作部
１１−リモコン
１２−アンテナ
１３−制御部
１３a−ＲＡＭ
１３b−ＲＯＭ
１３ｃ−タイマー回路
１４−記憶部
１４a−データベース
２０−インタフェース
１０１−カメラ
１０２−ユーザ
【図１】
2007228385.tif 000003
【図２】
2007228385.tif 000004
【図３】
2007228385.tif 000005
【図４】
2007228385.tif 000006
【図５】
2007228385.tif 000007
【図６】
2007228385.tif 000008
【図７】
2007228385.tif 000009